(57)【要約】【課題】壁面占有面積を省スペース化し、保守工事性の改善する技術を提供する。【解決手段】本発明の支持装置は、筐体の側面に取り付けて該筐体を支持する一対の支持脚と、筐体を設置する取付面に取り付けて筐体を設置する場所に固定する一対の固定脚と、一対の支持脚と前記一対の固定脚とを枢動可能に連結する可動機構とを備える。【選択図】図１
2015046508.tif 000002
【特許請求の範囲】
【請求項１】
筐体の側面に取り付けて該筐体を支持する一対の支持脚と、
前記筐体を設置する取付面に取り付けて該筐体を設置する場所に固定する一対の固定脚と、
前記一対の支持脚と前記一対の固定脚とを枢動可能に連結する可動機構と、を備えることを特徴とする支持装置。
【請求項２】
前記可動機構により枢動させる一対の支持脚に装着された筐体と前記取付面とのなす角を調整する角度調整シャフトをさらに備え、
前記一対の支持脚の一方又は両方は、前記筐体を特定の角度で固定するシャフト固定溝を有することを特徴とする請求項１に記載の支持装置。
【請求項３】
前記一対の固定脚と接続して該一対の固定脚の位置決めをする高さ調整部材をさらに備え、該高さ調整部材を一対の固定脚に接続することで可動機構を介して一対の固定脚に連結された一対の支持脚の高さを調整することを特徴とする請求項１又は２に記載の支持装置。
【請求項４】
前記高さ調整部材は、矩形形状であり、一対の固定脚に対して長手方向又は短手方向で接続して一対の固定脚の高さを調整する高さ変更部を有することを特徴とする請求項３に記載の支持装置。
【請求項５】
前記高さ調整部材は、前記高さ変更部から延長する高さ延長部を有することを特徴とする請求項４に記載の支持装置。
【請求項６】
前記一対の支持脚は、前記取付面から離れる方向に複数の筐体取り付け用穴を有することを特徴とする請求項１から５の何れか一項に記載の支持装置。
【請求項７】
前記一対の支持脚のそれぞれは、Ｌ字形状に形成された板状の部材であり、筐体の側面に支持脚を装着することで、筐体の角を覆うように支持することを特徴とする請求項１から６の何れか一項に記載の支持装置。
【請求項８】
一対の支持脚と一対の固定脚とを枢動可能に連結し、連結した前記一対の固定脚を取付面に固定し、前記一対の支持脚に筐体を装着して取付面に設置し、保守の際には一対の支持脚を枢動することで取付面と筐体とのなす角を調整することを特徴とする支持方法。
【請求項９】
一対の支持脚に装着された筐体を所定の角度で固定することを特徴とする請求項８に記載の支持方法。
【請求項１０】
前記一対の固定脚と高さ調整部材を接続して該一対の固定脚の位置決めをし、該高さ調整部材により一対の固定脚の高さを調整することで間接的に一対の固定脚に連結された一対の支持脚の高さをも調整することを特徴とする請求項８又は９に記載の支持方法。
【請求項１１】
前記一対の支持脚に装着された筐体と取付面との奥行きを調整して他の部材を設置するためのスペースを設けることを特徴とする請求項８から１０の何れか一項に記載の支持方法。
【発明の詳細な説明】
【技術分野】
【０００１】
本発明は、通信制御装置などの電子機器の筐体を壁掛け設置する支持装置、及び支持方法に関する。
【背景技術】
【０００２】
省スペース化の観点から、電子機器などの筐体を壁掛けして設置するための支持装置が開発されている。例えば支持装置には、卓上や床上への載置と、壁面上への壁掛けとの両方の設置方法に対応させたものがある。
【０００３】
このような支持装置として、特許文献１には、板状を呈し、第１の板面に筐体凹部または筐体凸部に対応して形成された脚凸部または脚凹部を備えた一対の支持脚と、中間部材とを備える支持装置が開示されている。特許文献１では、筐体を壁掛けする際には、一対の支持脚は、その対同士が中間部材を介して結合され、第２の板面が壁面に接するように取り付けられ、かつ、脚凸部または脚凹部に筐体を背面に形成された筐体凹部または筐体凸部が係合することにより、筐体を第１の板面前に引っ掛け支持している。
【０００４】
特許文献２は、電話交換機等の電子機器筐体を複数個建物等の壁に設置する壁掛け装置を開示している。この壁掛け装置は、壁に取付ける機器取付け用金具を、複数の電子機器筐体のうち一の電子機器筐体の下面を載置する受け台と、受け台を突出形成した取付けベース板と、取付けベース板に一の電子機器筐体を取着する取着部とにより構成し、機器取付け用金具に他の電子機器筐体を前記一の電子機器筐体の前記壁より前方に重合配置する機器増設用金具を取付けるための取付け手段を設けている。また、特許文献３は、基本回路基板及び電源ユニットを内蔵した基本筐体に拡張筐体を支軸で回動自在に設け、この拡張筐体に拡張回路基板を挿脱自在に設け、拡張筐体の一側を取付部材で壁面に固定するように設けた装置を開示する。
【０００５】
特許文献１及び２では、電子機器が壁面上に固定的に壁掛けされているため、保守工事毎に電子機器を取り外す必要があった。特許文献３では、電子機器などの筐体がセットで取り付けられる必要があるため、省スペース化を図ることが困難であった。また、筐体を一体的に移動できないため、効率的な保守工事ができない問題があった。
【０００６】
図１０及び１１は、関連する電子機器などの筐体４００を支持するための支持装置を示す。この支持装置に取り付けられた電子機器へのオプションカード４０１とバッテリ４０２の実装方向が電子機器側面となっている。そのため、電子機器を壁掛け設置する際、オプションカード４０１またはバッテリ４０２の保守工事用に作業スペースを確保する必要がある。また、作業スペースの確保が困難な場合は、保守工事毎に壁面から電子機器を取り外す必要がある。さらに、保守工事の際、各付属機器の実装方向が異なるので同一方向からの作業ができず、保守工事が煩雑であった。
【０００７】
図１２は、関連する電子機器を格納し、所定の場所に設置するための支持装置５００を示す。同図のような支持装置５００では、オプションカード５０１を前面より実装できるが、装置全体の外形が大きくなってしまい、設置状態で壁面からの厚みがでてしまう。
【先行技術文献】
【特許文献】
【０００８】
【特許文献１】特開２０１０−１７１１７７号公報
【特許文献２】特開２００１−３３９１７２号公報
【特許文献３】実開平５−８５１８６号公報
【発明の概要】
【発明が解決しようとする課題】
【０００９】
電子機器などの筐体を支持装置に装着して壁掛け設置後、修理や増設などの保守工事等を行うことがある。図１０及び１１に示すような支持装置の場合、筐体側面から保守工事を行わなければならないため、保守作業が困難なものとなり作業効率も悪くなってしまう。図１２に示す例の場合には、保守工事は筐体正面から行うことができるが、装置全体の外形が大きくなってしまい省スペース化を図ることができない。
【００１０】
本発明は、電子機器の筐体全体を枢動可能に壁掛け設置する支持装置及び支持方法を提供することを目的とする。
【課題を解決するための手段】
【００１１】
上述の課題に鑑み、本発明の一態様は、筐体の側面に取り付けて該筐体を支持する一対の支持脚と、前記筐体を設置する取付面に取り付けて筐体を設置する場所に固定する一対の固定脚と、前記一対の支持脚と前記一対の固定脚とを枢動可能に連結する可動機構と、
を備えることを特徴とする支持装置に関する。
【００１２】
また、本発明の別の態様は、一対の支持脚と一対の固定脚とを枢動可能に連結し、連結した一対の固定脚を取付面に固定し、一対の支持脚に筐体を装着して取付面に設置し、保守の際には一対の支持脚を枢動することで取付面と筐体とのなす角を調整することを特徴とする支持方法に関する。
【発明の効果】
【００１３】
本発明によれば、制御装置などの筐体を壁面へ設置する場合において壁面占有面積を省スペース化し、保守工事性の改善が可能となる。
【００１４】
本発明の更なる利点及び実施形態を、記述と図面を用いて下記に詳細に説明する。
【図面の簡単な説明】
【００１５】
【図１】本発明の第１の実施形態による支持装置に制御装置を取り付けた状態での構成を示す概略構成図である。
【図２】図１に示す支持装置を収容した状態を示す図である。
【図３】本発明の第１の実施形態による支持装置の概略構成を説明するための図であり、（ａ）は展開状態、（ｂ）は収容状態を示す。
【図４】図３に示す支持装置の可動機構を説明するための要部拡大図である。
【図５】本発明の第２の実施形態による支持装置に設置可能な制御装置を説明するための概略構成図である。
【図６】本発明の第２の実施形態による支持装置の構成を示す図である。
【図７】本発明の第２の実施形態による支持装置の別の構成を示す図である。
【図８】本発明の第２の実施形態による支持装置の別の構成を示す図である。
【図９】本発明の第２の実施形態による支持装置を取付面に取り付けた状態を示す図であり、（ａ）はバッテリ無しの状態、（ｂ）はバッテリ有りの状態を示す。
【図１０】関連する支持装置に取り付けられた制御装置の構成を示す図である。
【図１１】図１０に示す関連する支持装置に取り付けられた制御装置を保守する際の作業スペースについて説明するための図である。
【図１２】関連する支持装置の構成を示す図である。
【発明を実施するための形態】
【００１６】
以下、本発明の実施形態に従う支持装置、及び支持方法について、添付図面を参照しながら詳しく説明する。但し、以下に説明する実施形態によって本発明の技術的範囲は何ら限定解釈されることはない。
【００１７】
（第１の実施形態）
まず、本発明の第１の実施形態について説明する。図１は、本実施形態による支持装置１の構成を説明するための概略構成図である。同図において、支持装置１は、ボタン電話主装置などの電子機器及びその筐体３０を壁掛けして設置するために利用するものである。保守工事の際には、筐体３０が装着されている支持装置１の支持脚１２Ａ、１２Ｂを可動機構を軸として枢動（回転）させることで、筐体３０を支持装置１から取り外すことなく、作業スペースを確保することができる。
【００１８】
ここでは、図１乃至図４に示されるように、直交座標系（Ｘ、Ｙ、Ｚ）を使用している。図１乃至図４の図示した状態では、直交座標系（Ｘ、Ｙ、Ｚ）において、Ｘ軸方向は、支持装置１を設置する取付面２００に平行に延在する上下方向（高さ方向）であり、Ｙ軸方向は、当該取付面２００に平行に延在し、且つＸ軸方向と直交する左右方向（幅方向）であり、Ｚ軸方向は、取付面２００と直交する前後方向（奥行方向）である。
【００１９】
図１及び図２は、本実施形態による制御装置などの筐体３０が装着された支持装置１を説明するための図である。図１に示す支持装置１は、保守工事や付属装置の着脱などの作業を行うために展開された状態にある。図２の支持装置１は、図１に示す支持装置１が収納された状態にある。図１に示すように、支持装置１を９０°展開した状態でオプションカード４０やバッテリ５０などの付属装置を着脱したり、制御装置などの筐体３０の保守工事をしたりすることが可能となる。通常時には、図２に示すように支持装置１を収容して壁などの取付面２００に密着するように支持装置１及び支持装置１に装着される筐体３０をコンパクトに収納することができる。この支持装置１では、保守工事毎の制御装置の筐体３０の取り外しが不要となる。
【００２０】
図３は、第１の実施形態による支持装置１の概略構成を説明するための図である。図３（ａ）は支持装置１の支持脚１２Ａ、１２ＢをＹ軸方向からＺ軸方向へ可動機構を軸として９０°旋廻させた図を示す。図３（ｂ）は支持脚１２Ａ、１２ＢをＹ軸方向に配置し、支持脚１２Ａ、１２Ｂと固定脚１０Ａ、１０Ｂを固定し収納させた図を示す。
【００２１】
同図に示すように、支持装置１は、壁などの取付面２００に固定される固定脚１０Ａ、１０Ｂと、固定脚１０Ａ、１０Ｂを間接的に接続する高さ調整部材１１と、筐体３０を支持する支持脚１２Ａ、１２Ｂとを備える。また、支持装置１は、固定脚１０Ａ、１０Ｂと支持脚１２Ａ、１２Ｂとを枢動可能に連結する蝶番１３と、支持脚１２Ａ、１２Ｂとともに枢動（回転）する筐体３０の位置を調整する角度調整シャフト１４とを備えている。
【００２２】
固定脚１０Ａ、１０Ｂは、矩形形状を有する一対の金具であり、例えば板状の金具で構成されている。固定脚１０Ａ、１０Ｂは、ネジなどの固定手段を用いて壁などの取付面２００に固定される。また、固定脚１０Ａは、角度調整シャフト１４を装着するためのシャフト装着部１０１を有している。
【００２３】
高さ調整部材１１は、例えば矩形形状を有する板状の金具である。平行に配置される固定脚１０Ａ、１０Ｂは、この高さ調整部材１１を介して間接的に接続する。本実施形態においては、図１に示すように、高さ調整部材１１は平行に配置された固定脚１０Ａ、１０Ｂの長手方向の略中間位置に垂直に接続されている。
【００２４】
支持脚１２Ａ、１２Ｂは、Ｌ字形状を有する一対の金具であり、例えば板状の金具で構成されている。支持脚１２Ａは、Ｙ−Ｚ平面の−Ｙ軸方向とＸ−Ｚ平面のＸ軸方向にＬ字形状に延長する。支持脚１２Ｂは、Ｙ−Ｚ平面の−Ｙ軸方向とＸ−Ｚ平面の−Ｘ軸方向にＬ字形状に延長する。各支持脚１２Ａ、１２ＢのＹ−Ｚ平面における一部には筐体３０を支持するための筐体取り付け用穴１６Ａ、１６Ｂが形成されており、例えばネジなどの固定手段を筐体取り付け用穴１６Ａまたは１６Ｂに固定することで筐体３０を支持する。また、支持脚１２Ａには、後述するシャフト固定溝１２１、１２２が形成されている。
【００２５】
図３（ａ）に示すとおり、固定脚１０Ａと支持脚１２Ａ、及び固定脚１０Ｂと支持脚１２Ｂを連結する部材として、それぞれの短手方向の端部に蝶番１３が接続される。この構成により、蝶番１３が可動機構となって支持脚１２Ａ、１２Ｂ及び支持脚１２Ａ、１２Ｂに支持された筐体３０をＸ−Ｙ平面からＸ−Ｚ平面にわたり９０°枢動可能となる。また、図２に示すように、支持脚１２Ａ、１２Ｂに支持された筐体３０を取付面２００に配置することが可能となる。また、固定脚１０Ａ、１０Ｂと支持脚１２Ａ、１２ＢのＸ軸方向における高さが同じとなる。この高さは、高さ調整部材１１により決定され、本実施形態では、二個分の筐体３０と同等の高さとなっているが、この構成に限定されるものではない。
【００２６】
図２に示すように、筐体３０を装着した支持装置１が収納状態にある場合、壁などの取付面２００からの厚みｔを抑えることができるため省スペース化となる。一方、保守や配線工事などの場合には、支持装置１を図１に示す展開状態にできるため、作業スペースを確保でき容易に保守作業を行うことができる。また、筐体３０の正面からオプションカード４０やバッテリ５０などの付属装置の脱着が同一方向から可能となる。支持装置１は、各支持脚１２Ａ、１２Ｂにあるローレットネジなどの雄ネジ１５を対応する固定脚１０Ａ、１０Ｂに挿入して固定することで収納状態となる。
【００２７】
図４は、本実施形態による支持装置１の支持脚１２Ａの要部拡大図を示す。同図の支持装置１は支持脚１２Ａ、１２ＢをＹ軸方向からＸ軸方向へ蝶番１３を軸として９０°展開した状態にある。本実施形態では、支持脚１２Ａは９０°固定用のシャフト固定溝１２１と５０°固定用のシャフト固定溝１２２を有する。図４では、固定脚１０Ａのシャフト装着部１０１に装着した角度調整シャフト１４を９０°固定用のシャフト固定溝１２１に固定している。作業スペースの確保や作業位置の調整を図るために、角度調整シャフト１４を５０°固定用のシャフト固定溝１２２に固定することで、支持脚１２Ａ、１２Ｂ及び支持脚１２Ａ、１２Ｂに装着された筐体３０をＸ軸方向から５０°旋回させた位置に配置することができる。本実施形態では、９０°固定用と５０°固定用の二つのシャフト固定溝１２１、１２２を例示したが、本発明はこの構成に限られず、例えば３０°固定用や１５０°固定用のシャフト固定溝を適宜設けてもよい。
【００２８】
次に、本実施形態による支持装置１に装着される電子機器などの筐体３０の支持方法について説明する。
【００２９】
支持装置１に装着された筐体３０の保守工事の際には、まず、各支持脚１２Ａ、１２Ｂと各固定脚１０Ａ、１０Ｂを固定している雄ネジ１５を外す。そして、装着された筐体３０とともに一対の支持脚１２Ａ、１２ＢをＹ軸方向からＺ軸方向へ枢動することで支持装置１を展開する。次に、角度調整シャフト１４を用いて所望の角度で支持脚１２Ａ、１２Ｂを固定する。本実施形態では、支持脚１２Ａに形成された切りかき形状のシャフト固定溝１２１、１２２に角度調整シャフト１４を挿入して、５０°または９０°の角度で支持脚１２Ａ、１２Ｂ及び装着された筐体３０を固定できる。展開された状態では、作業スペースが容易に確保できるため、この状態で保守工事が実施される。保守工事の作業完了後、支持脚１２Ａ、１２Ｂ及び装着された筐体３０をＺ軸方向からＹ軸方向へ枢動させて支持装置１を収容し、各支持脚１２Ａ、１２Ｂと各固定脚１０Ａ、１０Ｂを雄ネジ１５で固定する。
【００３０】
本発明の一実施形態によれば、通信制御機器などの筐体３０を壁面などの取付面２００へ設置する場合において壁面占有面積を省スペース化し、保守工事性の改善が可能となる。また、複数の筐体３０を取付面２００へまとめて設置することが可能となる。
【００３１】
（第２の実施形態）
続いて、本発明の第２の実施形態について説明する。本発明の第２の実施形態は、上述した第１の実施形態の変形例である。以下、本実施の形態において、第１の実施形態においてすでに説明した部分と同様な機能を有する部分には同一符号を付し、説明は省略する。第２の実施形態における支持装置１は、種々の電子機器などの筐体３０の各構成を壁掛け設置できる。
【００３２】
ここでは、図５乃至図９に示されるように、直交座標系（Ｘ、Ｙ、Ｚ）を使用している。図５乃至図９の図示した状態では、直交座標系（Ｘ、Ｙ、Ｚ）において、Ｘ軸方向は、支持装置１を設置する取付面２００に平行に延在する上下方向（高さ方向）であり、Ｙ軸方向は、当該取付面２００に平行に延在し、且つＸ軸方向と直交する左右方向（幅方向）であり、Ｚ軸方向は、取付面２００と直交する前後方向（奥行方向）である。
【００３３】
図５は、第２の実施形態による支持装置１に装着する筐体３０を説明するための図である。本実施形態による筐体３０は、基本架３０Ａと、拡張架３０Ｂと、収納架３０Ｃとを有する。本実施形態において、支持装置１はこれらの筐体３０の何れか又は全てを装着することができるよう構成されている。以下、支持装置１について図面を参照しながら詳細に説明する。
【００３４】
図６は、平行に配置された一対の固定脚１０Ａ、１０Ｂの間に、同じく高さ変更部１１Ａ（高さ調整部材１１）を平行に配置し、これらの長手方向を接続した支持装置１の第１段構成を示す。なお、説明のため、本支持装置１においては、支持脚１２Ａ、１２Ｂや蝶番１３の記載を省略している。この第１段構成の支持装置１は、基本架３０Ａ、拡張架３０Ｂ、及び収納架３０Ｃの何れかを装着して取付面２００に配置することができる。すなわち、図６に示す固定脚１０Ａ、１０Ｂと高さ変更部１１Ａを接続した全体の高さは、一個分の基本架３０Ａと同等の高さとなる。高さ調整部材１１は、矩形形状を有する板状の高さ変更部１１Ａと高さ延長部１１Ｂを有している。高さ変更部１１Ａを一対の固定脚１０Ａ、１０Ｂの間に接続して、Ｘ軸方向における高さを決定することで、一対の固定脚１０Ａ、１０Ｂと蝶番１３を介して連結された支持脚１２Ａ、１２ＢのＸ軸方向における高さを決定することとなる。なお、第１段構成においては、高さ変更部１１Ａの背面に高さ延長部１１Ｂが格納されている。
【００３５】
図７は、平行に配置された一対の固定脚１０Ａ、１０Ｂの間に、高さ変更部１１Ａを垂直に配置し、一対の固定脚１０Ａ、１０Ｂの長手方向の中間部と高さ変更部１１Ａの短手方向の端部を接続した支持装置１の第２段構成を示す。同図においても、説明のための支持脚１２Ａ、１２Ｂの記載を省略している。この支持装置１では、基本架３０Ａ、拡張架３０Ｂ、及び収納架３０Ｃの内、二つの筐体を装着できる高さを有する。図７に示す第２段構成の支持装置１では、固定脚１０Ａ、１０Ｂと高さ変更部１１Ａの全体の高さは、二個分の筐体と同等の高さとなる。なお、第２段構成においても、高さ変更部１１Ａの背面に高さ延長部１１Ｂが格納されている。
【００３６】
図８は、平行に配置された一対に固定脚１０Ａ、１０Ｂの間に、高さ変更部１１Ａ及び高さ延長部１１Ｂを垂直に配置し、一対の固定脚１０Ａ、１０Ｂの長手方向の中間部と高さ変更部１１Ａ及び高さ延長部１１Ｂの短手方向の端部を接続した支持装置１の第３段構成を示す。この第３段構成の支持装置１では、高さ変更部１１Ａに格納してあった高さ延長部１１Ｂを延長することで基本架３０Ａ、拡張架３０Ｂ、及び収納架３０Ｃの三個分の筐体を収容可能となる。なお、図８においても、説明のために支持脚１２Ａ、１２Ｂの記載を省略している。
【００３７】
図９は、本実施形態による支持装置１に筐体３０を装着して取付面２００に固定した図を示す。本実施形態において、バッテリ５０などの付属装置の有無に応じて取付面２００からの厚みｔ１、ｔ２（Ｚ軸方向における奥行）で示される設置スペースの調整が可能である。図９（ａ）は、筐体３０の背面にバッテリ５０を取り付けない場合の構成を示す図である。同図では、各支持脚１２Ａ、１２Ｂに形成された筐体取り付け用穴１６Ａにネジなどの固定手段を用いて筐体３０を装着し支持している。この構成では、取付面２００から近い位置に筐体３０を装着しているため、取付面２００からの支持装置１と筐体３０の厚みｔ１を抑えることができ、省スペース化を図ることができる。図９（ｂ）は、筐体３０の背面にバッテリ５０を取り付ける場合の構成を示す図である。各支持脚１２Ａ、１２Ｂに形成された筐体取り付け用穴１６Ｂにネジなどの固定手段を用いて筐体３０を装着し支持している。筐体取り付け用穴１６Ｂは筐体取り付け用穴１６Ａより取付面２００から離れた位置に形成されているため、厚みｔ２は厚みｔ１より大きくなるが、筐体３０と支持装置１との間にバッテリ装着用のスペースが確保できる。
【００３８】
このように、本発明の一実施形態では、一組の支持装置１で様々な構成の筐体３０を取付面２００に壁掛け設置することが可能となる。
【００３９】
なお、上述した第１、第２の実施形態に含まれる特徴を用いた電子機器などの筐体３０の支持方法も、本発明の範疇に含まれる。
【００４０】
以上、各実施形態を参照して本発明を説明したが、本発明は上記実施形態に限定されるものではない。本発明の構成や詳細は、本発明のスコープ内で当業者が理解し得る様々な変更をすることができる。例えば、第１の実施形態では、角度調整シャフト１４が、固定脚１０Ａと支持脚１２Ａ間に設けられているが、このような構成に限定されず、固定脚１０Ｂと支持脚１２Ｂ間に角度調整シャフト１４を設けてもよいし、両方の脚間に角度調整シャフト１４を設ける構成であってもよい。この場合、固定脚１０Ｂにシャフト装着部が設けられ、支持脚１２Ｂにシャフト固定溝１２１、１２２が設けられることとなる。また、上述の実施形態では、一対の固定脚１０Ａ、１０Ｂの間に高さ調整部材１１が一個設けられているが、一対の固定脚１０Ａ、１０Ｂを取付面２００に強固に固定し所望の高さに位置決めできるのであれば、高さ調整部材１１を省いてもよい。逆に、支持装置１の補強のために、高さ調整部材１１を複数個設ける構成にしても構わない。また、第２の実施形態では、最大３段構成の筐体３０に対応する支持装置１について説明したが、本発明はこの構成に限定されるものではなく、４段や５段構成の筐体に対応できるように支持装置１の高さ調整部材１１の構成を変更するなど種々の構成を採用してよいのは勿論である。
【産業上の利用可能性】
【００４１】
本発明による支持装置及び支持方法は、壁掛け設置に対応する製品に適用できる他、電子機器などに付属して用いられる周辺機器に適用してもよい。
【符号の説明】
【００４２】
１  支持装置
１０Ａ、１０Ｂ  固定脚
１０１  シャフト装着部
１１  高さ調整部材
１１Ａ  高さ変更部
１１Ｂ  高さ延長部
１２Ａ、１２Ｂ  支持脚
１２１  シャフト固定溝（９０°固定用）
１２２  シャフト固定溝（５０°固定用）
１３  蝶番
１４  角度調整シャフト
１５  雄ネジ
１６Ａ、１６Ｂ  筐体取り付け用穴
３０  筐体
３０Ａ  基本架
３０Ｂ  拡張架
３０Ｃ  収納架
４０  オプションカード
５０  バッテリ
２００  取付面
【図１】
2015046508.tif 000003
【図２】
2015046508.tif 000004
【図３】
2015046508.tif 000005
【図４】
2015046508.tif 000006
【図５】
2015046508.tif 000007
【図６】
2015046508.tif 000008
【図７】
2015046508.tif 000009
【図８】
2015046508.tif 000010
【図９】
2015046508.tif 000011
【図１０】
2015046508.tif 000012
【図１１】
2015046508.tif 000013
【図１２】
2015046508.tif 000014
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
筐体の側面に取り付けて該筐体を支持する一対の支持脚と、
前記筐体を設置する取付面に取り付けて該筐体を設置する場所に固定する一対の固定脚と、
前記一対の支持脚と前記一対の固定脚とを枢動可能に連結する可動機構と、
前記可動機構により枢動させる一対の支持脚に装着された筐体と前記取付面とのなす角を調整する角度調整シャフトを備え、
前記一対の支持脚の一方又は両方は、前記筐体を特定の角度で固定するシャフト固定溝を有し、
前記角度調整シャフトを前記シャフト固定溝に固定することで、前記取付面に対して特定の角度で固定することを特徴とする支持装置。
【請求項２】
前記一対の固定脚と接続して該一対の固定脚の位置決めをする高さ調整部材をさらに備え、該高さ調整部材を一対の固定脚に接続することで可動機構を介して一対の固定脚に連結された一対の支持脚の高さを調整することを特徴とする請求項１に記載の支持装置。
【請求項３】
前記高さ調整部材は、矩形形状であり、一対の固定脚に対して長手方向又は短手方向で接続して一対の固定脚の高さを調整する高さ変更部を有することを特徴とする請求項２に記載の支持装置。
【請求項４】
前記高さ調整部材は、前記高さ変更部から延長する高さ延長部を有することを特徴とする請求項３に記載の支持装置。
【請求項５】
前記一対の支持脚は、前記取付面から離れる方向に複数の筐体取り付け用穴を有することを特徴とする請求項１から４の何れか一項に記載の支持装置。
【請求項６】
前記一対の支持脚のそれぞれは、Ｌ字形状に形成された板状の部材であり、筐体の側面に支持脚を装着することで、筐体の角を覆うように支持することを特徴とする請求項１から５の何れか一項に記載の支持装置。
【請求項７】
一対の支持脚と一対の固定脚とを枢動可能に連結し、連結した前記一対の固定脚を取付面に固定し、前記一対の支持脚に筐体を装着して取付面に設置し、保守の際には一対の支持脚を枢動することで取付面と筐体とのなす角を調整し、角度調整シャフトをシャフト固定溝に固定することで、一対の支持脚に装着された筐体を前記取付面に対して特定の角度で固定することを特徴とする支持方法。
【請求項８】
前記一対の固定脚と高さ調整部材を接続して該一対の固定脚の位置決めをし、該高さ調整部材により一対の固定脚の高さを調整することで間接的に一対の固定脚に連結された一対の支持脚の高さをも調整することを特徴とする請求項７に記載の支持方法。
【請求項９】
前記一対の支持脚に装着された筐体と取付面との奥行きを調整して他の部材を設置するためのスペースを設けることを特徴とする請求項７又は８に記載の支持方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
筐体の側面に取り付けて該筐体を支持する一対の支持脚と、
前記筐体を設置する取付面に取り付けて該筐体を設置する場所に固定する一対の固定脚と、
前記一対の支持脚と前記一対の固定脚とを枢動可能に連結する可動機構と、
前記可動機構により枢動させる一対の支持脚に装着された筐体と前記取付面とのなす角を調整する角度調整シャフトを備え、
前記一対の支持脚の一方又は両方は、前記筐体を特定の角度で固定するシャフト固定溝を有し、
前記角度調整シャフトを前記シャフト固定溝に固定することで、前記取付面に対して特定の角度で固定し、
前記一対の支持脚のそれぞれは、Ｌ字形状に形成された板状の部材であり、筐体の側面に支持脚を装着することで、筐体の角を覆うように支持し、前記一対の支持脚は、前記取付面から離れる方向に複数の筐体取り付け用穴を有することを特徴とする支持装置。
【請求項２】
前記一対の固定脚と接続して該一対の固定脚の位置決めをする高さ調整部材をさらに備え、該高さ調整部材を一対の固定脚に接続することで可動機構を介して一対の固定脚に連結された一対の支持脚の高さを調整することを特徴とする請求項１に記載の支持装置。
【請求項３】
前記高さ調整部材は、矩形形状であり、一対の固定脚に対して長手方向又は短手方向で接続して一対の固定脚の高さを調整する高さ変更部を有することを特徴とする請求項２に記載の支持装置。
【請求項４】
前記高さ調整部材は、前記高さ変更部から延長する高さ延長部を有することを特徴とする請求項３に記載の支持装置。
【請求項５】
一対の支持脚と一対の固定脚とを枢動可能に連結し、連結した前記一対の固定脚を取付面に固定し、前記一対の支持脚に筐体を装着して取付面に設置し、保守の際には一対の支持脚を枢動することで取付面と筐体とのなす角を調整し、角度調整シャフトをシャフト固定溝に固定することで、一対の支持脚に装着された筐体を前記取付面に対して特定の角度で固定し、前記一対の支持脚のそれぞれは、Ｌ字形状に形成された板状の部材であり、筐体の側面に支持脚を装着することで、筐体の角を覆うように支持し、前記一対の支持脚は、前記取付面から離れる方向に複数の筐体取り付け用穴を有し、前記複数の筐体取り付け用穴のいずれかに筐体を取り付けることを特徴とする支持方法。
【請求項６】
前記一対の固定脚と高さ調整部材を接続して該一対の固定脚の位置決めをし、該高さ調整部材により一対の固定脚の高さを調整することで間接的に一対の固定脚に連結された一対の支持脚の高さをも調整することを特徴とする請求項５に記載の支持方法。
【請求項７】
前記一対の支持脚に装着された筐体と取付面との奥行きを調整して他の部材を設置するためのスペースを設けることを特徴とする請求項５又は６に記載の支持方法。